(57)【要約】【課題】電子機器の取り付けにかかる手間を減少できる電子機器の取付構造を提供する。【解決手段】電子機器の取付構造３０は電源装置３２の箱体１の蓋体３にサーミスタ温度計３１を取り付ける。蓋体３には開口部３７が設けられている。開口部３７の内縁には立設壁３８が立設している。電子機器の取付構造３０は支持部４２と付勢部４３を備えている。支持部４２は支持突部４４と突起４６と溝４７を備えている。支持突部４４は立設壁３８から凸である。突起４６はサーミスタ温度計３１から突出している。溝４７は支持突部４４から凹に形成されている。支持部４２は溝４７内に突起４６を挿入してサーミスタ温度計３１を移動自在にする。付勢部４３はばね片４９を備えている。ばね片４９はサーミスタ温度計３１から立設壁３８に向かって延びている。ばね片４９はサーミスタ温度計３１を箱体１の内側に付勢する。【選択図】図２
2006186045.tif 000002
【特許請求の範囲】
【請求項１】
箱体に設けられた開口部を通して、該箱体内に挿入して、電子機器を前記箱体に取り付ける電子機器の取付構造において、
前記開口部を通して箱体内に電子機器が侵入することを許容するとともに、該電子機器を前記箱体内に侵入する方向に沿って移動自在に支持する支持部と、
前記開口部を通して箱体内に挿入された電子機器を、前記箱体の内側に向かって付勢する付勢部と、
を備えたことを特徴とする電子機器の取付構造。
【請求項２】
前記箱体には、前記開口部の内縁から立設した複数の立設壁が設けられており、
前記支持部は、
前記電子機器と前記立設壁とのうち一方から他方に向かって凸の突起と、
前記他方に設けられかつ前記突起が侵入する溝と、を備え、
前記突起が、前記溝内に侵入することで、前記電子機器を移動自在に支持することを特徴とする請求項１記載の電子機器の取付構造。
【請求項３】
前記支持部は、前記突起と干渉して、前記電子機器が前記箱体の内側に脱落することを規制する脱落規制部を備えたことを特徴とする請求項２記載の電子機器の取付構造。
【請求項４】
前記箱体には、前記開口部の内縁から立設した複数の立設壁が設けられており、
前記付勢部は、前記電子機器と前記立設壁とのうち一方から他方に向かって延びているとともに弾性変形自在なばね片を備えたことを特徴とする請求項１記載の電子機器の取付構造。
【発明の詳細な説明】
【技術分野】
【０００１】
本発明は、電気自動車やハイブリットカーなどに搭載される電源装置などの箱体にサーミスタ温度計などの電子機器を取り付ける電子機器の取付構造に関する。
【背景技術】
【０００２】
近年、環境にやさしい自動車として用いられてきた内燃機関と電動機との双方の動力で走行可能なハイブリットカーや電気自動車などには、円滑な走行を実現するために、高電圧、高出力な電源が必要とされている。高電圧及び高出力な電源を確保するために、比較的小型なバッテリを複数直列に接続して構成される電源装置（例えば、特許文献１参照）が提案されている。
【０００３】
前述した電源装置は、互いに直列に接続される複数（多数）のバッテリと、これらのバッテリを収容する箱体と、電子機器としての温度検出手段と、冷却手段などを備えている。箱体は、箱状の箱本体と、板状の蓋体を備えている。
【０００４】
箱本体は、絶縁性の合成樹脂からなる。箱本体には、該箱本体内にバッテリを出し入れする開口部が設けられている。また、箱本体内には、互いに等間隔に配された仕切壁が複数設けられている。箱本体は、互いに隣り合う仕切壁間にバッテリを一つずつ収容する。蓋体は、絶縁性の合成樹脂からなる。蓋体は、箱本体に取り付けられると、前述した開口部を塞ぐ。
【０００５】
温度検出手段は、前記箱体の蓋体などに取り付けられる。温度検出手段は、例えば、サーミスタ温度計からなる。温度検出手段は、前記蓋体に固定されて、該蓋体が箱本体に取り付けられて、箱本体内に収容されたバッテリと接触することで、該バッテリの温度を検出する。冷却手段は、温度検出手段が検出したバッテリの温度に基づいて、該箱本体内に収容されたバッテリを冷却したり、該冷却を停止する。
【０００６】
前述した電源装置は、温度検出手段が検出したバッテリの温度に基づいて、冷却手段などを制御して、バッテリを適切な温度に保つ。
【特許文献１】特開２００３−２２９１１０号公報
【発明の開示】
【発明が解決しようとする課題】
【０００７】
前述した電源装置は、電子機器としての温度検出手段を箱体の蓋体に固定する。このため、蓋体と箱体などの寸法公差により、蓋体とバッテリの間隔と温度検出手段の厚みとが互いに異なることが多い。この場合、蓋体を箱本体に取り付けると、温度検出手段が蓋体とバッテリとの間に挟まれて破損したり、前記温度検出手段がバッテリに接触せずに該バッテリの温度を検出できなくなる。
【０００８】
このため、従来の電源装置では、蓋体を箱本体に取り付ける際に、温度検出手段の取り付け位置を適宜調整してきた。したがって、従来の電源装置則ち温度検出手段などの電子機器の取付構造では、電子機器としての温度検出手段の取り付けにかかる手間が増加して、電子機器としての温度検出手段の取り付けにかかる工数が増加する傾向であった。
【０００９】
したがって、本発明の目的は、電子機器の取り付けにかかる手間を減少できる電子機器の取付構造を提供することにある。
【課題を解決するための手段】
【００１０】
前述した課題を解決し目的を達成するために、請求項１に記載の本発明の電子機器の取付構造は、箱体に設けられた開口部を通して、該箱体内に挿入して、電子機器を前記箱体に取り付ける電子機器の取付構造において、前記開口部を通して箱体内に電子機器が侵入することを許容するとともに、該電子機器を前記箱体内に侵入する方向に沿って移動自在に支持する支持部と、前記開口部を通して箱体内に挿入された電子機器を、前記箱体の内側に向かって付勢する付勢部と、を備えたことを特徴としている。
【００１１】
請求項２に記載の本発明の電子機器の取付構造は、請求項１に記載の電子機器の取付構造において、前記箱体には、前記開口部の内縁から立設した複数の立設壁が設けられており、前記支持部は、前記電子機器と前記立設壁とのうち一方から他方に向かって凸の突起と、前記他方に設けられかつ前記突起が侵入する溝と、を備え、前記突起が、前記溝内に侵入することで、前記電子機器を移動自在に支持することを特徴としている。
【００１２】
請求項３に記載の本発明の電子機器の取付構造は、請求項２に記載の電子機器の取付構造において、前記支持部は、前記突起と干渉して、前記電子機器が前記箱体の内側に脱落することを規制する脱落規制部を備えたことを特徴としている。
【００１３】
請求項４に記載の本発明の電子機器の取付構造は、請求項１に記載の電子機器の取付構造において、前記箱体には、前記開口部の内縁から立設した複数の立設壁が設けられており、前記付勢部は、前記電子機器と前記立設壁とのうち一方から他方に向かって延びているとともに弾性変形自在なばね片を備えたことを特徴としている。
【００１４】
請求項１に記載した本発明の電子機器の取付構造によれば、支持部が開口部を通して箱本体内に電子機器が侵入することを許容し、電子機器を開口部内で移動自在にする。これにより、箱体に取り付けられた電子機器と該箱体内に収容された収容物とが接触すると、電子機器が箱体に対し移動する。また、付勢部が電子機器を箱本体の内側に付勢するので、箱体に取り付けられた電子機器と該箱体内に収容された収容物とが確実に接触する。したがって、電子機器を開口部内に挿入するだけで、容易に電子機器を収容物に確実に接触させるなどして、該電子機器を箱体に取り付けることができる。
【００１５】
請求項２に記載した本発明の電子機器の取付構造によれば、支持部が突起と溝を備えているので、確実に電子機器を移動自在にできる。
【００１６】
請求項３に記載した本発明の電子機器の取付構造によれば、支持部が脱落規制部を備えているので、電子機器が箱本体に脱落することを防止できる。
【００１７】
請求項４に記載した本発明の電子機器の取付構造によれば、付勢部が弾性変形自在なばね片を備えているので、確実に電子機器を付勢することができる。
【発明の効果】
【００１８】
請求項１に記載の本発明は、電子機器を開口部内に挿入するだけで、容易に電子機器を収容物に確実に接触させるなどして、該電子機器を箱体に取り付けることができる。したがって、電子機器の箱体への取り付けにかかる手間を減少でき、電子機器の箱体への取り付けにかかる所要工数を減少できる。
【００１９】
請求項２に記載の本発明は、支持部が突起と溝を備えているので、確実に電子機器を移動自在にできる。
【００２０】
請求項３に記載の本発明は、支持部が脱落規制部を備えているので、電子機器が箱本体に脱落することを防止できる。
【００２１】
請求項４に記載した本発明は、付勢部が弾性変形自在なばね片を備えているので、確実に電子機器を付勢することができる。
【発明を実施するための最良の形態】
【００２２】
本発明の一実施の形態にかかる電子機器の取付構造（以下、単に取付構造と記す）１を、図１ないし図１１に基づいて説明する。図２などに示す取付構造３０は、図２に示されたサーミスタ温度計３１を、箱体１の蓋体３に取り付けるとともに、図１に示す電源装置３２を構成する。
【００２３】
電源装置３２は、図１に示すように、互いに直列に接続される複数（多数）のバッテリ３３と、これらのバッテリ３３を収容する箱体１と、電子機器としてのサーミスタ温度計３１（図２に示す）と、図示しない冷却手段と、図示しない制御装置と、前述した取付構造３０などを備えている。
【００２４】
バッテリ３３は、扁平な箱状に形成されており、外表面に正（プラス）極３４と、負（マイナス）極３５とが設けられている。複数のバッテリ３３は、前述した箱体１内に収容された状態で、互いに隣り合うもの同士の正極３４と負極３５とが導電性の接続プレート３６により電気的に接続される。複数のバッテリ３３は、接続プレート３６により、互いに直列に接続される。なお、バッテリ３３は、収容物をなしている。
【００２５】
箱体１は、図１に示すように、箱状の箱本体２と、板状の蓋体３と、取付機構４を備えている。
【００２６】
箱本体２は、絶縁性の合成樹脂からなり、周知の射出成型法などにより成型されて得られる。箱本体２は、互いに連なる複数の周壁５と、フランジ壁６とを備えて、箱状に形成されている。箱本体２には、該箱本体２内にバッテリ３３などの収容物を出し入れする開口７が設けられている。開口７は、勿論、箱本体２の内外を連通している。
【００２７】
フランジ壁６は、周壁５の開口７寄りに縁に連なっている。フランジ壁６は、前述した開口７を囲むとともに、後述するように蓋体３が箱本体２に取り付けられると、該蓋体３の本体部９と平行になる。フランジ壁６上に前述した蓋体３の本体部９が重なる。
【００２８】
また、箱本体２内には、互いに等間隔に配された仕切壁８が複数設けられている。箱本体２は、互いに隣り合う仕切壁８間に前述したバッテリ３３などの収容物を一つずつ収容する。
【００２９】
蓋体３は、絶縁性の合成樹脂からなり、周知の射出成型法などにより成型されて得られる。蓋体３は、図１に示すように、平板状に形成されている。蓋体３は、取付機構４により、箱本体２に取り付けられる。蓋体３は、箱本体２に取り付けられると、本体部９が前述したフランジ壁６上に重なりかつ前述した開口７を塞ぐ。
【００３０】
また、蓋体３には、図２に示すように、開口部３７が設けられている。開口部３７は、図２に示すように、蓋体３の角部に設けられており、勿論、蓋体３を貫通している。開口部３７の平面形状は、矩形状である。また、蓋体３則ち箱体１には、図４及び図５に示すように、開口部３７の内縁から蓋体３則ち箱体１の表面に直交する方向に沿って外側に向かって立設した立設壁３８が複数設けられている。立設壁３８は、図示例では、４つ設けられている。
【００３１】
また、開口部３７には、図２及び図４に示すように、三つの凸壁３９ａ，３９ｂ，３９ｃが設けられている。凸壁３９ａ，３９ｂ，３９ｃは、立設壁３８の蓋体３則ち箱体１の外側に位置する縁から開口部３７の内側に向かって突出している。一つの凸壁３９ａは、開口部３７の長手方向の一方の端から開口部３７の内側に向かって突出している。
【００３２】
他の二つの凸壁３９ｂ，３９ｃは、開口部３７の長手方向の他方の端から開口部３７の内側に向かって突出している。さらに、他の二つの凸壁３９ｂ，３９ｃは、開口部３７の幅方向に沿って、互いに間隔をあけて配されている。これら三つの凸壁３９ａ，３９ｂ，３９ｃは、互いの間にサーミスタ温度計３１の後述するサーミスタ本体４０が通ることを許容している。
【００３３】
取付機構４は、前述した蓋体３の表面に沿う矢印Ｓ（図１に示し、この図１では上方から下方に向かう方向）に沿って、蓋体３を箱本体２に相対的に移動して、箱本体２に蓋体３を取り付ける。なお、矢印Ｓは、蓋体３の箱本体２に対するスライド方向をなしている。取付機構４は、第１の固定部１１と、第２の固定部１２と、を備えている。
【００３４】
第１の固定部１１は、図１に示すように、複数の貫通溝１３と、複数の押さえ部１４と、を備えている。貫通溝１３は、蓋体３の前述した矢印Ｓの前方側に位置する一端部３ａに設けられている。複数の貫通溝１３は、蓋体３の一端部３ａに、矢印Ｓに対し直交（交差）する方向に沿って、互いに等間隔に設けられている。貫通溝１３は、蓋体３が箱本体２に取り付けられると、仕切壁８に重なる。貫通溝１３は、矢印Ｓに沿って直線状に延びている。
【００３５】
押さえ部１４は、箱本体２の前述した矢印Ｓの前方側に位置する一端部２ａに設けられている。なお、蓋体３の一端部３ａと、箱本体２の一端部２ａとは、箱本体２に蓋体３が取り付けられると、互いに重なる。複数の押さえ部１４は、箱本体２の一端部２ａに、矢印Ｓに対し直交（交差）する方向に沿って、互いに等間隔に設けられている。押さえ部１４は、仕切壁８に重なる。
【００３６】
押さえ部１４は、前述した箱本体２の一端部２ａに位置するフランジ壁６から凸の立設片１６と、立設片１６のフランジ壁６から離れた側の端部に連なりかつ箱本体２に取り付けられる蓋体３の表面と平行な板片１７とを備えている。
【００３７】
前述した第１の固定部１１は、前述した一方の端に位置する開口を通して、貫通溝１３内に立設片１６を挿入し、箱本体２の一端部２ａのフランジ壁６と板片１７との間に蓋体３の一端部３ａを位置付けて、蓋体３の一端部３ａと箱本体２の一端部２ａとを固定する。こうして、第１の固定部１１は、蓋体３を箱本体２に取り付ける。
【００３８】
第２の固定部１２は、図１に示すように、複数対の孔１８ａ，１８ｂと、複数対の突起１９ａ，１９ｂとを備えている。則ち、第２の固定部１２は、一対の孔１８ａ，１８ｂと一対の突起１９ａ，１９ｂとを少なくとも備えている。複数対の孔１８ａ，１８ｂは、蓋体３の前述した矢印Ｓの後方側に位置する他端部３ｂに、矢印Ｓに対し直交（交差）する方向に沿って、互いに等間隔に設けられている。孔１８ａ，１８ｂは、蓋体３が箱本体２に取り付けられると、仕切壁８に重なる。孔１８ａ，１８ｂは、それぞれ、蓋体３の他端部３ｂを貫通している。また、一対の孔１８ａ，１８ｂは、矢印Ｓに沿って互いに並べられている。
【００３９】
複数対の突起１９ａ，１９ｂは、箱本体２の前述した矢印Ｓの後方側に位置する他端部２ｂに、矢印Ｓに対し直交（交差）する方向に沿って、互いに等間隔に設けられている。なお、蓋体３の他端部３ｂと、箱本体２の他端部２ｂとは、箱本体２に蓋体３が取り付けられると、互いに重なる。突起１９ａ，１９ｂは、蓋体３が箱本体２に取り付けられると、仕切壁８に重なる。
【００４０】
突起１９ａ，１９ｂは、箱本体２の前述した他端部２ｂから箱本体２の外側に向かって突出している。一対の突起１９ａ，１９ｂは、箱本体２の他端部２ｂから互いに交差する方向に突出している。
【００４１】
前述した第２の固定部１２は、一方の孔１８ａ内に一方の突起１９ａが侵入し、他方の孔１８ｂ内に他方の突起１９ｂが侵入して、蓋体３の他端部３ｂと箱本体２の他端部２ｂとを固定する。こうして、第２の固定部１２は、蓋体３の立設板部１０を周壁５の外側に重ねた格好で、蓋体３を箱本体２に取り付ける。
【００４２】
前述した構成の取付機構４は、以下のように、箱本体２に蓋体３を取り付ける。まず、貫通溝１３と押さえ部１４とが互いに間隔をあけ、かつ箱本体２の他端部２ｂと蓋体３の他端部３ｂとが互いに間隔をあけて、開口７を塞ぐように箱本体２に蓋体３を被せる。このとき、貫通溝１３の長手方向に沿って、貫通溝１３と押さえ部１４とを並べる。
【００４３】
そして、貫通溝１３の長手方向に沿って、貫通溝１３と押さえ部１４とを互いに近づけ、かつ箱本体２の他端部２ｂと蓋体３の他端部３ｂとを互いに近づける。則ち、蓋体３の表面に沿う矢印Ｓに沿って、箱本体２に対し蓋体３をスライドさせる。そして、突起１９ａが一旦弾性変形するなどして、貫通溝１３内に立設片１６が侵入し、蓋体３の一端部３ａが箱本体２と板片１７との間に挟まれ、孔１８ａ，１８ｂ内に突起１９ａ，１９ｂが侵入して、蓋体３が箱本体２に取り付けられる。
【００４４】
サーミスタ温度計３１は、図６に示すように、サーミスタ本体４０と、図示しないサーミスタと、一対のケーブル４１などを備えている。サーミスタ本体４０は、合成樹脂からなり、前述した開口部３７を通して箱体１に出し入れ自在な大きさの方体状に形成されている。サーミスタは、前述したサーミスタ本体４０内に収容されている。ケーブル４１は、サーミスタと制御装置とを接続する。サーミスタ温度計３１は、サーミスタ本体４０が開口部３７内に挿入されてバッテリ３３の外表面に接触した状態で、サーミスタがバッテリ３３の温度に応じた情報を検出して、検出した情報を制御装置に向けて出力する。
【００４５】
冷却手段は、該箱本体内に収容されたバッテリ３３を冷却可能である。制御装置は、サーミスタ温度計３１が検出したバッテリ３３の温度に基づいて、冷却手段を制御して、該箱本体２則ち箱体１内に収容されたバッテリ３３を冷却したり、該冷却を停止する。制御装置は、サーミスタ温度計３１が検出したバッテリ３３の温度に基づいて、冷却手段などを制御して、バッテリ３３を適切な温度に保つ。
【００４６】
取付構造３０は、前述した開口部３７を通して箱体１内に挿入されたサーミスタ温度計３１を前記箱体１の蓋体３に取り付ける。なお、サーミスタ温度計３１は、蓋体３の外表面に直交する矢印Ｊ（図２に示す）に沿って、前記開口部３７内に挿入される。取付構造３０は、図２ないし図５に示すように、支持部４２と、付勢部４３とを備えている。
【００４７】
支持部４２は、図２に示すように、一対の支持突部４４と、突部４５と、一対の突起４６と、一対の溝４７とを備えている。支持突部４４は、図３に示すように、前述した立設壁３８のうち開口部３７の幅方向に沿って相対する一対の立設壁３８から互いに近づく方向に突出している。支持突部４４の表面は、立設壁３８の表面と平行であり、図５に示すように、開口部３７内に侵入したサーミスタ温度計３１のサーミスタ本体４０の表面と接触する。また、支持突部４４は、開口部３７の長手方向の中央に設けられている。
【００４８】
突部４５は、図２、図４、図５、図６及び図７に示すように、サーミスタ本体４０と一体に形成されているとともに、サーミスタ本体４０から凸に形成されている。一対の突起４６は、突部４５則ちサーミスタ温度計３１のサーミスタ本体４０と一体に形成されている。一対の突起４６は、図２、図３、図５及び図６に示すように、突部４５からサーミスタ本体４０の幅方向則ち開口部３７の幅方向に沿って、サーミスタ本体４０の外側に突出している。則ち、突起４６は、サーミスタ温度計３１のサーミスタ本体４０を開口部３７内に収容すると、サーミスタ温度計３１のサーミスタ本体４０から立設壁３８に向かって凸に形成されている。突起４６は、図示例では、円柱状に形成されている。
【００４９】
溝４７は、図２及び図３に示すように、前述した支持突部４４の表面から凹に形成されている。則ち、溝４７は、立設壁３８に設けられている。溝４７は、立設壁３８の箱体１の外側寄りの縁から該蓋体３が取り付けられる箱本体２の内側則ち箱体１の内側に向かって直線状に延びている。則ち、溝４７は、前述した矢印Ｊに沿って、直線状に延びている。サーミスタ温度計３１のサーミスタ本体４０を開口部３７内に収容すると、溝４７内には、突起４６が侵入する。なお、溝４７内では、突起４６は、該溝４７の長手方向に沿って移動自在である。
【００５０】
また、溝４７は、図７に示すように、支持突部４４の箱体１の内側寄りの部分４８に設けられていない。このため、前述した部分４８は、突起４６と接触すると、サーミスタ温度計３１のサーミスタ本体４０が更に箱体１の内側に移動することを規制する。則ち、前述した部分４８は、突起４６と接触すると、サーミスタ温度計３１のサーミスタ本体４０が箱体１の内側に脱落することを規制する。前述した部分４８は、脱落規制部をなしている。
【００５１】
前述した支持部４２は、溝４７内に突起４６が侵入することで、サーミスタ温度計３１のサーミスタ本体４０が開口部３７を通して箱体１内に侵入することを許容する。支持部４２は、溝４７内に突起４６が侵入することで、突起４６則ち該突起４６と一体のサーミスタ温度計３１のサーミスタ本体４０を、溝４７の長手方向に沿って移動自在に支持する。また、支持部４２は、前述した部分４８が突起４６と接触（干渉）することで、サーミスタ温度計３１のサーミスタ本体４０が箱体１の内側に脱落することを規制する。
【００５２】
付勢部４３は、図２、図３、図４、図６及び図７に示すように、一対のばね片４９を備えている。一対のばね片４９は、それぞれ、帯状に形成されかつ弾性変形自在である。一対のばね片４９は、突部４５則ちサーミスタ本体４０と一体に形成されている。一対のばね片４９は、それぞれ、突部４５からサーミスタ本体４０の長手方向則ち開口部３７の長手方向に沿って、サーミスタ本体４０の外側に向かって延びている。則ち、一対のばね片４９は、サーミスタ温度計３１のサーミスタ本体４０を開口部３７内に収容すると、サーミスタ温度計３１のサーミスタ本体４０から前述した凸壁３９ａ，３９ｂ，３９ｃが設けられた立設壁３８に向かって延びている。
【００５３】
また、一対のばね片４９は、サーミスタ温度計３１のサーミスタ本体４０を開口部３７内に挿入する際に、図８に示すように、前述した凸壁３９ａ，３９ｂ，３９ｃに接触する。そして、サーミスタ温度計３１のサーミスタ本体４０を開口部３７内に挿入すると、一対のばね片４９は、図９に示すように、互いに最も離れた縁部同士が互いに近づく方向に弾性変形する。
【００５４】
そして、一対のばね片４９は、凸壁３９ａ，３９ｂ，３９ｃより箱体１の内側に位置付けられると、弾性復元力により互いに最も離れた縁部同士が互いに離れる。そして、一対のばね片４９は、互いに最も離れた縁部が凸壁３９ａ，３９ｂ，３９ｃより箱体１の内側に位置付けられるとともに、凸壁３９ａ，３９ｂ，３９ｃと干渉してサーミスタ温度計３１のサーミスタ本体４０が開口部３７外に抜け出ることを規制する。
【００５５】
また、一対のばね片４９は、開口部３７内にサーミスタ温度計３１のサーミスタ本体４０が収容されかつ蓋体３を箱本体２に取り付けると、バッテリ３３に当接したサーミスタ本体４０から前述した凸壁３９ａ，３９ｂ，３９ｃに押し付けられる。すると、一対のばね片４９は、凸壁３９ａ，３９ｂ，３９ｃと干渉（接触）して、弾性変形して、サーミスタ温度計３１のサーミスタ本体４０をバッテリ３３に向けて付勢する。
【００５６】
則ち、一対のばね片４９は、立設壁３８に設けられた凸壁３９ａ，３９ｂ，３９ｃからサーミスタ温度計３１のサーミスタ本体４０が離れる方向の弾性復元力を生じて、開口部３７を通して箱体１内に挿入されたサーミスタ温度計３１のサーミスタ本体４０を箱体１の内側に向かって付勢する。
【００５７】
前述した構成の電源装置３２は、サーミスタ温度計３１が取り付けられた蓋体３を、互いに直列に接続された複数のバッテリ３３を収容した箱本体２に取り付けて、組み立てられる。そして、電源装置３２は、内燃機関と電動機との双方で走行可能なハイブリットカーや電気自動車に搭載される。
【００５８】
本実施形態によれば、支持部４２が、開口部３７を通して箱体１内にサーミスタ温度計３１が侵入することを許容し、かつ、サーミスタ温度計３１を開口部３７内で移動自在にする。これにより、箱体１に取り付けられたサーミスタ温度計３１と該箱体１内に収容されたバッテリ３３とが接触すると、サーミスタ温度計３１が箱体１に対し移動する。
【００５９】
また、付勢部４３がサーミスタ温度計３１を箱体１の内側に付勢するので、箱体１に取り付けられたサーミスタ温度計３１と該箱体１内に収容されたバッテリ３３とが確実に接触する。したがって、サーミスタ温度計３１を開口部３７内に挿入するだけで、サーミスタ温度計３１の箱体１への取付位置を微調整することなく、容易にサーミスタ温度計３１をバッテリ３３に確実に接触させて、箱体１に取り付けることができる。したがって、サーミスタ温度計３１の箱体１への取り付けにかかる手間を減少でき、サーミスタ温度計３１の箱体１への取り付けにかかる所要工数を減少できる。
【００６０】
例えば、図１０に示すように、バッテリ３３が正規の位置（図１０中に二点鎖線で示す）より蓋体３寄りに位置する場合においても、支持部４２がサーミスタ温度計３１を移動自在にする。これにより、サーミスタ温度計３１の蓋体３への取り付け位置を変更することなく、バッテリ３３に接触させた状態で該サーミスタ温度計３１を蓋体３則ち箱体１に取り付けることができる。
【００６１】
支持部４２は、突起４６と溝４７を備えているので、確実にサーミスタ温度計３１を移動自在にできる。
【００６２】
支持部４２は、脱落規制部としての前述した部分４８を備えているので、サーミスタ温度計３１が箱体１内に脱落することを防止できる。
【００６３】
付勢部４３は、弾性変形自在なばね片４９を備えているので、確実にサーミスタ温度計３１を付勢することができる。
【００６４】
蓋体３の表面に沿って、箱本体２に対し蓋体３をスライドして、該蓋体３を箱本体２に取り付ける。さらに、第１の固定部１１が、蓋体３を箱本体２に取り付けた後、矢印Ｓに沿って蓋体３が箱本体２に対し移動することを許容している。このため、製造時に寸法に狂いが生じて、蓋体３が箱本体２に対し小さくなりすぎても、取付機構４が、蓋体３を箱本体２にスライドさせることができ、該蓋体３を箱本体２に取り付けることができる。
【００６５】
則ち、蓋体３が箱本体２に対し小さくなりすぎても、立設片１６と貫通溝１３の奥面とが正規の状態より離れる。したがって、蓋体３が箱本体２に対し小さくなりすぎても、蓋体３を箱本体２に確実に取り付けることができる。
【００６６】
また、製造時に寸法に狂いが生じて、蓋体３が箱本体２に対し大きくなりすぎても、取付機構４により、蓋体３を正規の状態より多くスライドすることとなり、該蓋体３を箱本体２に取り付けることができる。さらに、製造時に寸法に狂いが生じて、蓋体３が箱本体２に対し大きくなりすぎても、取付機構４が、蓋体３の表面に沿ってスライドさせて、該蓋体３を箱本体２に取り付けるので、取り付けた後に蓋体３が箱本体２から脱落することを防止できる。
【００６７】
則ち、蓋体３が箱本体２に対し大きくなりすぎても、立設片１６と貫通溝１３の奥面とが正規の状態より近づく。したがって、蓋体３が箱本体２に対し大きくなりすぎても、蓋体３を箱本体２に確実に取り付けることができるとともに、蓋体３が箱本体２から脱落することを防止できる。
【００６８】
前述した実施形態では、サーミスタ温度計３１に突起４６とばね片４９を設け、立設壁３８に溝４７を設けている。しかしながら、本発明は、図１１ないし図１３に示すように、サーミスタ温度計３１に溝４７を設け、立設壁３８にサーミスタ温度計３１に向かって凸の（延びた）突起４６とばね片４９を設けても良い。なお、図１１ないし図１３において、前述した実施形態と同一部分には、同一符号を付して説明を省略する。
【００６９】
また、前述した実施形態では、蓋体３にサーミスタ温度計３１を取り付けている。しかしながら、本発明では、箱本体２にサーミスタ温度計３１を取り付けても良い。前述した実施形態では、電源装置３２の箱体１に電子機器としてのサーミスタ温度計３１を取り付けている。しかしながら、本発明では、電源装置３２以外の種々の装置の箱体にサーミスタ温度計３１以外の種々の電子機器を取り付けても良い。
【００７０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７１】
【図１】本発明の一実施形態にかかる電子機器の取付構造を備えた電源装置の一部を示す分解斜視図である。
【図２】図１に示された電源装置の電子機器の取付構造を示す分解斜視図である。
【図３】図２に示された電子機器の取付構造を示す平面図である。
【図４】図３中のＩＶ−ＩＶ線に沿う断面図である。
【図５】図３中のＶ−Ｖ線に沿う断面図である。
【図６】図２に示された電子機器の取付構造で取り付けられるサーミスタ温度計を示す斜視図である。
【図７】図２中のＶＩＩ−ＶＩＩ線に沿う断面図である。
【図８】図７に示されたサーミスタ温度計を開口部内に挿入し始めた状態を示す断面図である。
【図９】図８に示された状態から更にサーミスタ温度計を開口部内に挿入した状態を示す断面図である。
【図１０】図４に示された状態よりバッテリが蓋体寄りに位置する状態を示す断面図である。
【図１１】図２に示された電源装置の電子機器の取付構造の変形例を示す分解斜視図である。
【図１２】図１１に示された電子機器の取付構造を示す断面図である。
【図１３】図１１に示された電子機器の取付構造を示す他の断面図である。
【符号の説明】
【００７２】
１  箱体
３０  電子機器の取付構造
３１  サーミスタ温度計（電子機器）
３７  開口部
３８  立設壁
４２  支持部
４３  付勢部
４６  突起
４７  溝
４８  部分（脱落規制部）
４９  ばね片
【図１】
2006186045.tif 000003
【図２】
2006186045.tif 000004
【図３】
2006186045.tif 000005
【図４】
2006186045.tif 000006
【図５】
2006186045.tif 000007
【図６】
2006186045.tif 000008
【図７】
2006186045.tif 000009
【図８】
2006186045.tif 000010
【図９】
2006186045.tif 000011
【図１０】
2006186045.tif 000012
【図１１】
2006186045.tif 000013
【図１２】
2006186045.tif 000014
【図１３】
2006186045.tif 000015